(57)【要約】【課題】リウマチ患者が容易に開封することができ、また、リウマチ用ペン型注射器を容易に取り出すことができるリウマチ用ペン型注射器の包装袋を提供する。【解決手段】積層フィルム３により形成され、周縁部５ａ〜５ｃがシールされることで密封されて、リウマチ用ペン型注射器２０を内部に収容する包装袋１であって、長さ方向の端部に形成されたノッチ部７ａ、７ｂと、ノッチ部７ａ、７ｂが形成された位置から長さ方向に沿って包装袋１のほぼ全長に渡って形成された切れ目線９と、を有し、切れ目線９は、包装袋１の幅方向における一方の端部寄りの位置に形成され、幅方向における他方の端部と切れ目線９が形成された位置との間に、注射器２０の幅よりも長い幅を有する内部空間を形成することで、注射器２０を他方の端部側に寄せたときに注射器２０が切れ目線９に重ならないようになっている。【選択図】図１
2019107216.tif 000002
【特許請求の範囲】
【請求項１】
複数の層を含む積層フィルムにより形成され、周縁部の全体又は一部がシールされることで密封されて、リウマチ用ペン型注射器を内部に収容する包装袋であって、
前記包装袋の長さ方向の端部に形成されたノッチ部と、
前記ノッチ部が形成された位置から前記包装袋の長さ方向に沿って前記包装袋のほぼ全長に渡って形成された切れ目線と、を有し、
前記切れ目線は、前記包装袋の幅方向における一方の端部寄りの位置に形成され、
前記包装袋の幅方向における他方の端部と前記切れ目線が形成された位置との間に、前記リウマチ用ペン型注射器の幅よりも少なくとも長い幅を有する内部空間を形成することで、前記リウマチ用ペン型注射器を前記包装袋の中で前記他方の端部側に寄せたときに前記リウマチ用ペン型注射器が前記切れ目線が形成された位置に重ならないようになっている、ことを特徴とするリウマチ用ペン型注射器の包装袋。
【請求項２】
前記積層フィルムは、ポリエステルから形成される第１の層と、ポリエチレンから形成される第２の層と、が積層されて成り、
前記切れ目線は、前記第１の層に形成され、前記第２の層には形成されていない、請求項１に記載のリウマチ用ペン型注射器の包装袋。
【請求項３】
前記第１の層は、前記第２の層よりも薄い、請求項２に記載のリウマチ用ペン型注射器の包装袋。
【請求項４】
前記包装袋の内部空間の長さは、前記リウマチ用ペン型注射器の長さよりも大きく形成されており、
前記包装袋を前記ノッチ部及び前記切れ目線により開封すべく、前記包装袋の中で前記リウマチ用ペン型注射器を下側に寄せた状態で前記包装袋を指で挟んで保持したときに、前記包装袋の表面と裏面の内面同士が接触するような量の空気が内部に入れられている、請求項１乃至３のいずれか一項に記載のリウマチ用ペン型注射器の包装袋。
【請求項５】
前記切れ目線は、前記包装袋の幅方向に並んで複数本形成されている、請求項１乃至４のいずれか一項に記載のリウマチ用ペン型注射器の包装袋。
【請求項６】
前記切れ目線は、ミシン目により構成される、請求項１乃至５のいずれか一項に記載のリウマチ用ペン型注射器の包装袋。
【請求項７】
前記ミシン目は、平面視においてハの字状又は逆ハの字状に形成される、請求項６に記載のリウマチ用ペン型注射器の包装袋。
【請求項８】
前記積層フィルムは、３０μｍ〜１００μｍの厚みを有する、請求項１乃至７のいずれか一項に記載のリウマチ用ペン型注射器の包装袋。
【請求項９】
前記切れ目線を用いて３Ｎよりも小さい力によって開封できるよう構成されている、請求項１乃至８のいずれか一項に記載のリウマチ用ペン型注射器の包装袋。
【発明の詳細な説明】
【技術分野】
【０００１】
本発明は、積層フィルムにより袋状に形成され、リウマチ用ペン型注射器を内部に収容する包装袋に関する。
【背景技術】
【０００２】
従来から、プラスチック部材をいわゆる深絞り成型（ブリスター成型）した、比較的硬質なブリスター包装容器が広く採用されている。このブリスター包装容器は、プラスチックシートを加熱下においてプレスすることで形成されたポケットを有し、このポケット内に製品を装填して包装するものである。そのようなブリスター包装容器は、ガラス製品や精密機械部品などの壊れやすい物や振動を嫌う物を保存したり輸送したりするために用いられている。また、ブリスター成型容器は、薬液を充填した注射器（プレフィルドシリンジ）の包装にも用いられている（例えば特許文献１参照）。
【先行技術文献】
【特許文献】
【０００３】
【特許文献１】特開２０１１−６１５４号公報
【発明の概要】
【発明が解決しようとする課題】
【０００４】
ところで、従来から、リウマチ用の製剤としてペン型注射器が用いられているが、そのようなリウマチ用ペン型注射器も、上記したようなブリスター包装容器に収容されている。しかしながら、手が不自由なリウマチ患者にとっては、リウマチ用ペン型注射器をブリスター包装容器から取り出すためにブリスター包装容器を開封するのが困難であった。
【０００５】
その理由は、ブリスター包装容器は、開口部を覆うように貼られたフィルム（シート）を剥がすことで開封されるようになっているが、このフィルムを剥がすのに必要な力がリウマチ患者にとっては大きいものだからである、換言するとブリスター包装容器の開封強度が大きいからである。加えて、リウマチ患者にとっては、フィルムを剥がすためにフィルムの端部を指でしっかり挟む（つまむ）のが難しいからである。
【０００６】
更に、リウマチ用ペン型注射器は、ブリスター包装容器内にしっかりと固定されている。したがって、ブリスター包装容器を開封した後においても、そのように固定されたリウマチ用ペン型注射器をブリスター包装容器から取り出すのがリウマチ患者にとっては困難なものであった。これは、リウマチ患者にとっては、ブリスター包装容器の隙間に指を入れて、リウマチ用ペン型注射器を指でつまんで取り出すという作業が難しいからである。
【０００７】
このように、手が不自由なリウマチ患者にとっては、ブリスター包装容器を開封したり、ブリスター包装容器からリウマチ用ペン型注射器を取り出したりするのが困難であった。
【０００８】
本発明は、上述した従来技術の問題点を解決するためになされたものであり、リウマチ患者が容易に開封することができ、また、リウマチ患者がリウマチ用ペン型注射器を容易に取り出すことができる、リウマチ用ペン型注射器の包装袋を提供することを目的とする。
【課題を解決するための手段】
【０００９】
上記の目的を達成するために、本発明は、複数の層を含む積層フィルムにより形成され、周縁部の全体又は一部がシールされることで密封されて、リウマチ用ペン型注射器を内部に収容する包装袋であって、包装袋の長さ方向の端部に形成されたノッチ部と、ノッチ部が形成された位置から包装袋の長さ方向に沿って包装袋のほぼ全長に渡って形成された切れ目線と、を有し、切れ目線は、包装袋の幅方向における一方の端部寄りの位置に形成され、包装袋の幅方向における他方の端部と切れ目線が形成された位置との間に、リウマチ用ペン型注射器の幅よりも少なくとも長い幅を有する内部空間を形成することで、リウマチ用ペン型注射器を包装袋の中で他方の端部側に寄せたときにリウマチ用ペン型注射器が切れ目線が形成された位置に重ならないようになっている、ことを特徴とする。
【００１０】
このように構成された本発明によれば、ノッチ部から切れ目線の部分を引き裂くことで包装袋を開封できるので、従来のブリスター包装容器と比較して（上記した特許文献１参照）、リウマチ患者が包装袋を容易に開封することができる。また、本発明によれば、切れ目線が包装袋の長さ方向に沿ってほぼ全長に渡って形成されているので、切れ目線が包装袋の幅方向に沿って形成された構成と比較して、開封後の包装袋における開放部分が広く確保されるため、リウマチ患者がリウマチ用ペン型注射器（以下では単に「注射器」と表記することがある。）を包装袋から容易に取り出すことができる。
【００１１】
更に、本発明によれば、切れ目線が形成された幅方向における一方の端部寄りの位置と、幅方向における他方の端部との間に、注射器の幅よりも少なくとも長い幅を有する内部空間が形成されている。その結果、包装袋の中で注射器を他方の端部側に移動させた状態において、この注射器が切れ目線の位置に重ならないようになっている。これにより、包装袋を切れ目線において引き裂いたときに、引き裂き後に残った包装袋の部分がポケットとなって注射器を保持するので、注射器が包装袋から飛び出すことを抑制できる。
【００１２】
本発明において、好ましくは、積層フィルムは、ポリエステルから形成される第１の層と、ポリエチレンから形成される第２の層と、が積層されて成り、切れ目線は、第１の層に形成され、第２の層には形成されていない。
このように構成された本発明によれば、切れ目線が比較的硬いポリエステルから成る第１の層のみに形成されているので、包装袋の気密性を確保しつつ、切れ目線を利用した包装袋の開封を適切に実現することができる。
【００１３】
本発明において、好ましくは、第１の層は、第２の層よりも薄い。
このように構成された本発明によれば、比較的硬いポリエステルから成る第１の層が、比較的柔らかいポリエチレンから成る第２の層よりも薄いので、全体として柔らかな包装袋を実現することができる。よって、リウマチ患者が包装袋を容易に開封することができる。
【００１４】
本発明において、好ましくは、包装袋の内部空間の長さは、リウマチ用ペン型注射器の長さよりも大きく形成されており、包装袋をノッチ部及び切れ目線により開封すべく、包装袋の中でリウマチ用ペン型注射器を下側に寄せた状態で包装袋を指で挟んで保持したときに、包装袋の表面と裏面の内面同士が接触するような量の空気が内部に入れられている。
このように構成された本発明によれば、包装袋を開封するときにノッチ部付近を指でしっかり挟んで保持できるようになり、包装袋を引き裂くための力をノッチ部に集中させることができる。よって、包装袋をノッチ部から確実に引き裂き始めることができる。
【００１５】
本発明において、好ましくは、切れ目線は、包装袋の幅方向に並んで複数本形成されている。
このように構成された本発明によれば、包装袋を切れ目線の部分において引き裂くべく力を付与したときに、この力の方向が長さ方向に平行な方向からずれたとしても、包装袋を切れ目線から適切に開封することができる。
【００１６】
本発明において、好ましくは、切れ目線は、ミシン目により構成される。
このように構成された本発明によれば、切れ目線を連続的な線で構成するよりも、包装袋の強度を確保することができる。
【００１７】
本発明において、好ましくは、ミシン目は、平面視においてハの字状又は逆ハの字状に形成される。
このように構成された本発明によれば、包装袋を切れ目線に沿って確実に引き裂くことができる。
【００１８】
本発明において、好ましくは、積層フィルムは、３０μｍ〜１００μｍの厚みを有する。
このように構成された本発明によれば、積層フィルムが比較的薄く構成されているので、全体として柔らかな包装袋を実現することができる。
【００１９】
本発明において、好ましくは、包装袋は、切れ目線を用いて３Ｎよりも小さい力によって開封できるよう構成されている。
このように構成された本発明によれば、包装袋の開封強度がかなり小さいので、リウマチ患者が包装袋をより容易に開封することができる。
【発明の効果】
【００２０】
本発明によるリウマチ用ペン型注射器の包装袋によれば、リウマチ患者が容易に開封することができ、また、リウマチ患者がリウマチ用ペン型注射器を容易に取り出すことができる。
【図面の簡単な説明】
【００２１】
【図１】本発明の実施形態によるリウマチ用ペン型注射器の包装袋の平面図である。
【図２】図１の矢印Ａ１方向から観察した、本発明の実施形態によるリウマチ用ペン型注射器の包装袋の側面図である。
【図３】本発明の実施形態によるリウマチ用ペン型注射器の包装袋が有する積層フィルムの断面図である。
【図４】本発明の実施形態によるリウマチ用ペン型注射器の包装袋が有するノッチ部及び切れ目線の部分拡大図である。
【図５】本発明の実施形態によるリウマチ用ペン型注射器の包装袋の典型的な開封手順についての説明図である。
【図６】本発明の実施形態によるリウマチ用ペン型注射器の包装袋の評価結果を示す。
【発明を実施するための形態】
【００２２】
以下、添付図面を参照して、本発明の実施形態によるリウマチ用ペン型注射器の包装袋について説明する。
【００２３】
［リウマチ用ペン型注射器の包装袋の構成］
図１乃至図４を参照して、本発明の実施形態によるリウマチ用ペン型注射器の包装袋の構成について具体的に説明する。図１は、本発明の実施形態によるリウマチ用ペン型注射器の包装袋の平面図を示している。図２は、図１の矢印Ａ１方向から観察した、本発明の実施形態によるリウマチ用ペン型注射器の包装袋の側面図を示している。図３は、本発明の実施形態によるリウマチ用ペン型注射器の包装袋が有する積層フィルムの断面図を示している。図４は、本発明の実施形態によるリウマチ用ペン型注射器の包装袋が有するノッチ部及び切れ目線の部分拡大図を示している。
なお、以下では、リウマチ用ペン型注射器の包装袋のことを単に「包装袋」と表記することがあり、また、リウマチ用ペン型注射器のことを単に「注射器」と表記することがある。
【００２４】
図１に示すように、包装袋１は、柔らかい積層フィルム（多層フィルム）３により形成されている。具体的には、２枚の積層フィルム３を重ね合わせた状態で、上部の周縁部５ａ、右側部の周縁部５ｂ、左側部の周縁部５ｃ及び下部の周縁部５ｄを溶着によりシール（４方シール）することで、密封された袋状に形成される。このような包装袋１の密封された内部空間に、ペン型に構成されたリウマチ患者用の注射器（リウマチ用ペン型注射器）２０が収納される。
【００２５】
まず、注射器２０について説明する。注射器２０は、図１に示すように、主に、筒状の本体部２１と、本体部２１の端部に着脱可能に取り付けられたキャップ２３と、を有する。本体部２１は、薬液、具体的にはリウマチ用の抗体医薬が充填されたガラス製の筒型容器（シリンジ）２７を内部に収容しており、この筒型容器２７の一部が本体部２１に設けられた開口部２５から見えるようになっている。特に、注射前の状態では、筒型容器２７に充填された薬液（色としては透明）が開口部２５から見えるようになっている。この開口部２５は、本体部２１において対向する２つの位置に設けられている（図２参照）。また、本体部２１には、キャップ２３が取り付けられる側の端部に注射針（不図示）が設けられている。具体的には、注射針は、キャップ２３を取り外しても本体部２１の端部から露出しないように設けられている。
【００２６】
このような注射器２０は、リウマチ患者が皮下注射するよう用いられる。具体的には、リウマチ患者が、キャップ２３を取り外した状態で、このキャップ２３が取り付けられていた側の注射器２０の端部を皮膚に押し付けると、本体部２１内の注射針が外方へ突出して患者に突き刺さることで皮下注射が実施される。この後、一定時間（患者への薬液の注入に要する時間）が経過すると、注射針が患者から自動的に抜かれて皮下注射が終了する。このとき、注射針が、本体部２１の端部にあるカバーに覆われることで、外部に露出しないようになっている。加えて、皮下注射が終了すると、筒型容器２７に充填された薬液が無くなって、筒型容器２７内に別の部材が現れることで、この部材の色（例えば桃色や紫色）が開口部２５から見えるようになっている。上記したように、注射前においては開口部２５から見える色は透明（薬液の色）であるので、開口部２５から見える色の違いにより、注射器２０が注射前の状態であるか注射後の状態であるかを容易に判別できる。
【００２７】
次に、包装袋１について具体的に説明していく。図１に示すように、包装袋１には、当該包装袋１の長さ方向（長手方向／縦方向）における端部に、ノッチ部（換言すると切り欠き部）７ａ、７ｂが形成されている。ノッチ部７ａ、７ｂは、それぞれ、シールされた周縁部５ａ、５ｄに形成されている。また、包装袋１には、ノッチ部７ａとノッチ部７ｂとの間に、包装袋１の長さ方向に沿って包装袋１の全長に渡って切れ目線９が形成されている。この切れ目線９は、包装袋１の長さ方向に沿って並ぶ複数の切れ目１１により構成され、また、包装袋１の幅方向（短手方向／横方向）に並んで複数本形成されている。包装袋１は、ノッチ部７ａ、７ｂのいずれかから（典型的にはノッチ部７ａ）、切れ目線９の部分を引き裂くことで開封されるようになっている。
【００２８】
なお、図１では、包装袋１の一方側の面のみを示し、この面に形成された切れ目線９を示しているが、包装袋１の他方側の面（図１に示す面に対向する面（反対側の面））にも同様の切れ目線９が形成される。すなわち、包装袋１の両面に切れ目線９が形成される。特に、包装袋１の両面において同じ位置（換言すると重なり合う位置）に切れ目線９が形成される。
【００２９】
図３に示すように、包装袋１の積層フィルム３は、２層構造に形成されており、ポリエステルから成る第１の層３ａを表層として有し、ポリエチレンから成る第２の層３ｂを裏層として有する。また、上記した切れ目１１は、表側の第１の層３ａにのみ形成され、裏側の第２の層３ｂには形成されていない。すなわち、切れ目１１は、積層フィルム３を貫通しておらず、それにより、包装袋１の気密性が確保されている。
【００３０】
また、積層フィルム３においては、可撓性を有するが比較的硬いポリエステルから成る第１の層３ａが、比較的柔らかいポリエチレンの第２の層３ｂよりも薄く構成されている。加えて、積層フィルム３は、全体として比較的薄く形成されている。具体的には、積層フィルム３は、３０μｍ〜１００μｍの厚みを有する。１つの例では、積層フィルム３は、第１の層３ａの厚さが１２μｍで、第２の層３ｂの厚さが３０μｍであり、全体として５２μｍの厚さを有する。このように積層フィルム３を構成することで、全体として柔らかな包装袋１が実現される。
【００３１】
次に、図４は、上側のノッチ部７ａ付近に形成された切れ目線９の部分拡大図を示している。図４に示すように、切れ目線９は、断続的なミシン目としての切れ目１１により構成され、このミシン目は、平面視において逆ハの字状に形成されている。具体的には、逆ハの字状の切れ目１１が、包装袋１の幅方向に３セット並んでいる（切れ目線９自体は、包装袋１の幅方向に並んで６本形成されている）。このように逆ハの字状の切れ目１１を３セット適用することで、包装袋１をノッチ部７ａから切れ目線９の部分において引き裂くべく力を付与したときに、この力の方向が包装袋１の長さ方向に平行な方向Ａ２１からずれたとしても（矢印Ａ２２、Ａ２３参照）、包装袋１を切れ目線９から適切に開封することができる。すなわち、引き裂く力の方向がノッチ部７ａの直下にある切れ目線９からずれたとしても、この切れ目線９の隣にある別の切れ目線９に引き裂く力が伝わって、包装袋１を適切に開封することができるのである。
【００３２】
このように切れ目線９を包装袋１に形成すると共に、上記したように積層フィルム３を構成することで、包装袋１を比較的小さな力（開封強度）によって、具体的には３Ｎよりも小さい力によって開封できるようになっている。
【００３３】
なお、図４では、上部の周縁部５ａに形成されたノッチ部７ａを上側に位置させた状態を示している。この状態では、切れ目線９の切れ目１１は逆ハの字状になるが、これとは逆に、下部の周縁部５ｄに形成されたノッチ部７ｂを上側に位置させた状態では、切れ目線９の切れ目１１はハの字状になる。
【００３４】
次に、図５を参照して、本実施形態による包装袋１の典型的な開封手順について説明する。また、この開封手順に加えて、包装袋１において切れ目線９が設けられた具体的な位置等についても説明する。図５は、図１と同様の包装袋１の平面図を示す。
【００３５】
包装袋１を開封するときに、最初に、注射器（リウマチ用ペン型注射器）２０においてキャップ２３が設けられた側の端部が上側に位置するように、包装袋１が配置される。こうすることで、注射器２０において注射針が設けられた側の端部が上側に位置するようにする。そして、注射器２０が包装袋１の端部側に移動させられる。具体的には、切れ目線９は、包装袋１の幅方向における一方の端部（周縁部５ｂがある端部）寄りの位置に形成されているが、注射器２０は、そのような端部とは反対側の端部（周縁部５ｃがある端部）側に移動させられる（矢印Ａ３１参照）。この場合、本実施形態による包装袋１では、注射器２０が移動される端部と切れ目線９が形成された位置との間に、注射器２０の幅（径）Ｗ１よりも少なくとも長い幅Ｗ２を有する内部空間が形成されている。その結果、包装袋１の中で注射器２０を所定の端部側に移動させた状態において、この注射器２０が切れ目線９の位置に重ならないようになっている。これにより、包装袋１を切れ目線９において引き裂いたときに、引き裂き後に残った包装袋１の部分がポケットとなって注射器２０を保持するので、注射器２０が包装袋１から飛び出すことを抑制できる。
【００３６】
また、包装袋１を開封する前に、上記のように注射器２０を所定の端部側に移動させるのに加えて、この注射器２０は包装袋１の下側に更に移動させられる（矢印Ａ３２参照）。この場合、本実施形態による包装袋１では、その内部空間が注射器２０よりも長く形成されているので、注射器２０を包装袋１の下側に移動させると、包装袋１を指Ｆ１、Ｆ２（指Ｆ１は左手の親指と人差し指であり、指Ｆ２は右手の親指と人差し指である）で挟んで保持するのに十分なスペースが包装袋１の上側に作り出される。なお、注射器２０を包装袋１の下側にある程度移動させればよく、包装袋１の下側の端部にまで移動させる必要はない。また、本実施形態では、注射器２０を下側に移動させた状態で包装袋１を指Ｆ１、Ｆ２で挟んで保持したときに、包装袋１の表面と裏面の内面同士が接触するような量の空気が内部に入れられている。換言すると、包装袋１を指Ｆ１、Ｆ２で挟んだときに包装袋１の表面と裏面の内面同士が接触しないほどの多量の空気が入れられてはいない。これにより、包装袋１を開封するときに、上側のノッチ部７ａ付近を指Ｆ１、Ｆ２でしっかり挟んで保持できるようになり、包装袋１を引き裂くための力をノッチ部７ａに集中させることができる。
【００３７】
以上のように、注射器２０を包装袋１内で所定の端部側に移動させ、且つ注射器２０を包装袋１内で下側に移動させた状態で、包装袋１において上側のノッチ部７ａ付近を指Ｆ１、Ｆ２で挟んで保持して、このノッチ部７ａを介して切れ目線９を引き裂くように力を付与することによって、包装袋１が開封されることとなる。そして、切れ目線９による引き裂き後に残った包装袋１の部分（ポケット）に注射器２０が保持され、こうして保持された注射器２０が包装袋１から取り出される。この後、注射器２０のキャップ２３が取り外されて皮下注射が行われることとなる。
【００３８】
なお、図５ではノッチ部７ａから包装袋１を開封する例を示したが、ノッチ部７ａの代わりにノッチ部７ｂから包装袋１を開封しても構わない。
【００３９】
［評価結果］
次に、図６を参照して、本実施形態による包装袋１の評価結果について説明する。ここでは、本実施形態に対する比較例として、特許文献１に開示されたような、注射器２０を収容するブリスター包装容器を挙げる（この比較例を以下では「比較例１」と呼ぶ）。また、本実施形態による包装袋１では、その長さ方向に沿って切れ目線９が形成されているが、長さ方向ではなく幅方向に沿って切れ目線が形成された包装袋を比較例として挙げる（この比較例を以下では「比較例２」と呼ぶ）。
【００４０】
図６において、破線Ｌ２は、包装袋又は包装容器の開封しやすさに関する評価結果を示しており、実線Ｌ１は、注射器２０の取り出しやすさに関する評価結果を示している。具体的には、複数の被験者（１０人程度）に対して、開封しやすさ及び取り出しやすさのそれぞれについて、本実施形態による包装袋１、比較例１によるブリスター包装容器、及び比較例２による包装袋を順位付けしてもらい、図６では、複数の被験者から得られた順位に応じた点数を評価結果として示している。順位が良いほど点数が高くなり、図６では、三角形の外方に向かうほど点数が高くなっている。
【００４１】
図６に示すように、本実施形態による包装袋１では、開封しやすさ及び取り出しやすさの両方とも点数が最も高くなっている。一方で、比較例１によるブリスター包装容器では、開封しやすさの点数が低くなっている。これは、リウマチ患者にとっては、ブリスター包装容器のフィルムを剥がすためにフィルムの端部を指でしっかり挟む（つまむ）のが難しいからである。加えて、リウマチ患者にとっては、ブリスター包装容器の開封強度が大きいからである。ブリスター包装容器は、開口部の周縁部全周に渡る面にフィルムが溶着されており、そのような溶着面からフィルムを引きはがす必要があるので、比較的大きな力を要する。一方で、本実施形態による包装袋１では、切れ目線９から積層フィルム３を引き裂けばよいので、比較的小さな力で済む。実際、引張試験機を用いて試験を行ったところ、ブリスター包装容器では、フィルムを剥がすための開封強度が８〜９Ｎであるという結果が得られた。これに対して、本実施形態による包装袋１では、切れ目線９を用いた開封強度が１．７Ｎ程度であるという結果が得られた。更に、比較例１によるブリスター包装容器では、取り出しやすさの点数も低くなっている。これは、ブリスター包装容器においては、注射器２０が硬質の容器内の底部にしっかりと固定されているからである。
【００４２】
他方で、比較例２による包装袋では、取り出しやすさの点数が低くなっている。これは、比較例２による包装袋では、幅方向に沿って切れ目線が形成されているので、長さ方向に沿って切れ目線が形成された本実施形態による包装袋１と比較して、開封後の包装袋における開放部分（注射器２０の取り出し部分）が狭いからである。
【００４３】
以上述べたような理由から、取り出しやすさ及び開封しやすさの両方とも、本実施形態による包装袋１の点数が最も高くなったのである。
【００４４】
［作用効果］
次に、本実施形態による包装袋１の作用効果について説明する。本実施形態では、包装袋１が、長さ方向の端部に形成されたノッチ部７ａ、７ｂと、長さ方向に沿って包装袋１の全長に渡って形成された切れ目線９と、を有している。これにより、本実施形態によれば、ノッチ部７ａ又は７ｂから切れ目線９の部分を引き裂くことで包装袋１を開封できるので、従来のブリスター包装容器と比較して（上記した比較例１や特許文献１など）、リウマチ患者が包装袋１を容易に開封することができる。また、本実施形態によれば、切れ目線９が包装袋１の長さ方向に沿って全長に渡って形成されているので、切れ目線９が包装袋の幅方向に沿って形成された構成と比較して（上記した比較例２）、切れ目線９による開封後の包装袋１における開放部分が広く確保されるため、リウマチ患者が注射器２０を包装袋１から容易に取り出すことができる。
【００４５】
また、本実施形態による包装袋１では、切れ目線９が形成された幅方向における一方の端部寄りの位置と、幅方向における他方の端部との間に、注射器２０の幅Ｗ１よりも少なくとも長い幅Ｗ２を有する内部空間が形成されている。その結果、包装袋１の中で注射器２０を他方の端部側に移動させた状態において、この注射器２０が切れ目線９の位置に重ならないようになっている。これにより、包装袋１を切れ目線９において引き裂いたときに、引き裂き後に残った包装袋１の部分がポケットとなって注射器２０を保持するので、注射器２０が包装袋１から飛び出すことを抑制できる。
【００４６】
また、本実施形態による包装袋１では、積層フィルム３は、ポリエステルから形成される第１の層３ａとポリエチレンから形成される第２の層３ｂとが積層されて成り、切れ目線９は、第１の層３ａに形成され、第２の層３ｂには形成されていない。これにより、切れ目線９が比較的硬いポリエステルから成る第１の層３ａのみに形成されているので、包装袋１の気密性を確保しつつ、切れ目線９を利用した包装袋１の開封を適切に実現することができる。
【００４７】
また、本実施形態による包装袋１では、積層フィルム３において、比較的硬いポリエステルから成る第１の層３ａが、比較的柔らかいポリエチレンから成る第２の層３ｂよりも薄いので、全体として柔らかな包装袋１を実現することができる。これにより、リウマチ患者が包装袋１を容易に開封することができる。
【００４８】
また、本実施形態による包装袋１では、その内部空間が注射器２０よりも長く形成されており、包装袋１を開封すべく注射器２０を下側に寄せた状態で包装袋１を指で挟んで保持したときに、包装袋１の表面と裏面の内面同士が接触するような量の空気が内部に入れられている。これにより、包装袋１を開封するときに、ノッチ部７ａ又は７ｂ付近を指でしっかり挟んで保持できるようになり、包装袋１を引き裂くための力をノッチ部７ａ又は７ｂに集中させることができる。よって、包装袋１をノッチ部７ａ又は７ｂから確実に引き裂き始めることができる。
【００４９】
また、本実施形態による包装袋１では、切れ目線９が幅方向に並んで複数本形成されているので、包装袋１を切れ目線９の部分において引き裂くべく力を付与したときに、この力の方向が長さ方向に平行な方向からずれたとしても、包装袋１を切れ目線９から適切に開封することができる。
【００５０】
また、本実施形態による包装袋１では、切れ目線９が断続的なミシン目により構成されるので、切れ目線９を連続的な線で構成するよりも、包装袋１の強度を確保することができる。また、本実施形態による包装袋１では、このミシン目が平面視においてハの字状又は逆ハの字状に形成されるので、包装袋１を切れ目線９に沿って確実に引き裂くことができる。
【００５１】
また、本実施形態による包装袋１では、積層フィルム３が３０μｍ〜１００μｍの厚みを有しており、比較的薄く構成されているので、全体として柔らかな包装袋１を実現することができる。
【００５２】
また、本実施形態による包装袋１は、切れ目線９を用いて３Ｎよりも小さい力によって開封できるよう構成されているので、リウマチ患者が包装袋１をより容易に開封することができる。
【００５３】
［変形例］
上記した実施形態では、切れ目線９が、表側の第１の層３ａに形成され、裏側の第２の層３ｂには形成されていなかった（図３参照）。すなわち、切れ目線９が表側の層のみに形成されていた。他の例では、切れ目線９を裏側の層のみに形成してもよい。その場合には、ポリエステルから成る第１の層３ａを裏層とし、ポリエチレンから成る第２の層３ｂを表層とするように、積層フィルム３を構成すればよい。
【００５４】
また、包装袋１の長さ方向における両端部にノッチ部７ａ、７ｂを形成することに限定はされない。他の例では、包装袋１の下端部にノッチ部７ｂを形成せずに、包装袋１の上端部のみにノッチ部７ａを形成してもよい。更に、切れ目線９を包装袋１の全長に渡って形成することに限定はされない。上記のように、包装袋１の下端部にノッチ部７ｂを形成せずに、包装袋１の上端部のみにノッチ部７ａを形成した場合には、切れ目線９を包装袋１の下端部側まで延ばさなくてもよい。
【００５５】
また、切れ目線９を断続的なミシン目としての切れ目１１により構成することに限定はされない。他の例では、切れ目線９を連続的な切れ目により構成してもよい。また、切れ目線９の切れ目１１をハの字状又は逆ハの字状に形成することに限定はされず、切れ目１１を直線状のミシン目により形成してもよい。
【００５６】
また、上記した実施形態では、包装袋１は、周縁部の全体がシール（４方シール）されていたが、他の例では、包装袋は、周縁部の一部のみをシールして袋状に構成されてもよい。例えば、包装袋をピロー包装機により構成してもよい。
【００５７】
なお、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【符号の説明】
【００５８】
１  包装袋（リウマチ用ペン型注射器の包装袋）
３  積層フィルム
３ａ  第１の層
３ｂ  第２の層
５ａ、５ｂ、５ｃ、５ｄ  周縁部
７ａ、７ｂ  ノッチ部
９  切れ目線
１１  切れ目
２０  注射器（リウマチ用ペン型注射器）
２１  本体部
２３  キャップ
２５  開口部
【図１】
2019107216.tif 000003
【図２】
2019107216.tif 000004
【図３】
2019107216.tif 000005
【図４】
2019107216.tif 000006
【図５】
2019107216.tif 000007
【図６】
2019107216.tif 000008